(57)【要約】【課題】小ノズル化された記録ヘッドを用いる場合にも記録装置のランニングコストの増加を招くことなく、記録ヘッドのインクの吐出状態を効率よく安定化させて、高品位な画像を記録することができるインクジェット記録装置を提供すること。【解決手段】記録ヘッドをキャッピング可能なキャップ６０に、その内部のインクを外部に排出するための穴６１Ｃを備え、その穴６１Ｃは、キャップ６０内にインクを保持させるように密閉可能とする。【選択図】図５
2008149616.tif 000002
【特許請求の範囲】
【請求項１】
吐出口からインクを吐出可能な記録ヘッドを用いて画像を記録し、前記吐出口からインク中の水分の蒸発を抑制するために、前記記録ヘッドをキャッピング可能なキャップを備えるインクジェット記録装置において、
前記キャップは、
内部のインクを外部に排出するための開口部と、
前記開口部の開閉が可能であり、かつ前記キャップ内にインクを保持させるように前記開口部を密閉可能な開閉機構と、
を備えることを特徴とするインクジェット記録装置。
【請求項２】
前記開口部は、前記開閉機構によって開かれたときに、前記キャップ内のインクを自重によって排出させる位置に形成されることを特徴とする請求項１に記載のインクジェット記録装置。
【請求項３】
前記開口部は、前記キャップの底部に形成されることを特徴とする請求項２に記載のインクジェット記録装置。
【請求項４】
前記開閉機構は、前記キャップの内側における前記開口部の周面に接離可能な弁体と、前記弁体を前記キャップの外部から操作可能な操作部材と、を備えることを特徴とする請求項１から３のいずれかに記載のインクジェット記録装置。
【請求項５】
前記キャップの開口部から排出されたインクを吸収するための吸収体を備えることを特徴とする請求項１から４のいずれかに記載のインクジェット記録装置。
【請求項６】
前記開閉機構によって前記開口部が閉じられた前記キャップ内に、前記記録ヘッドから画像の記録に寄与しないインクを吐出させてから、前記開口部が閉じられたままの前記キャップを前記記録ヘッドにキャッピングさせる制御手段を備えることを特徴とする請求項１から５のいずれかに記載のインクジェット記録装置。
【請求項７】
前記制御手段は、前記記録ヘッドがインクをしなかった時間に応じて、前記キャップによる前記記録ヘッドのキャッピング時間を異ならせることを特徴とする請求項６に記載のインクジェット記録装置。
【発明の詳細な説明】
【技術分野】
【０００１】
本発明は、インクを吐出可能な記録ヘッドを用いて、記録媒体上に画像を記録するためのインクジェット記録装置に関するものである。
【背景技術】
【０００２】
近年、インクジェット記録装置は、市場からの更なる高画質化と高速化の要求を実現するために、インクの多色化、インクドットの高密度、吐出インクの小ドロップ化、記録ヘッドの多ノズル化が進んできている。これにより、ユーザーは、銀円写真と比べて遜色のない画質を手軽に実現できることになった。このようなインクジェット記録装置は、ビジネス市場だけでなく、ホーム市場にも非常に多く使われている。一方、インクジェット記録装置の市場では、ユーザーに対して安価に提供するために、記録装置自体のコストダウンの必要性も非常に高い状況となっている。
【０００３】
このような背景の中、特に吐出インクの小ドロップ化に関しては、写真調の高画質を実現するために、数ｐｌ（ピコリットル）という微小なインク滴を記録用紙に正確に着弾させることが必要となる。このため、常にインク吐出を安定化させる（吐出量を一定に保つ）ことが必須とある。
【０００４】
記録ヘッドのノズルからのインク中の水分蒸発は、インクの吐出に極めて影響度が大きい。そのため、従来のインクジェット記録装置においては、記録ヘッドのノズルからの水分蒸発を抑制および防止するために、キャップの構成を工夫したり、蒸発によって影響を受けたインクを排出できるような制御を採用している。
【０００５】
例えば、記録ヘッドを覆うキャップの密閉度を上げるために、キャップの背面に這わせた大気連通路を曲げて配置して、大気連通路の総長を長くする構成が採用されている。または、特許文献１には、キャップの底面に、蒸発抑制効果の高い金属製パイプを大気連通路として備える構成が記載されている。さらに、特許文献２には、キャップ内に保湿成分を含ませた多孔質体の吸収体を収納して、記録ヘッドのノズルからの水分蒸発を抑制する構成が記載されている。
【０００６】
また、ノズルを構成する記録ヘッドのインク吐出口からインク中の水分が蒸発して、吐出口近傍のインクの粘度が上昇したり、吐出口近傍にインクが固着した場合には、インクを安定的に吐出できなくなる。そのため、従来のインクジェット記録装置においては、吐出口からの水分蒸発の対策として、記録に寄与しないインクを所定時間間隔で吐出口から吐出（以下、「予備吐出」という）する方法が採用されている。過度のインク増粘や固着の対策としては、記録ヘッドを覆うキャップ内に、負圧発生ポンプによって発生させた負圧を導入することによって、増粘および固着したインクを吐出口からキャップ内に吸引排出させる吸引回復動作を定期的に行う方法が採用されている。
【０００７】
また、予備吐出や吸引回復動作によってインクが溜まった状態のキャップを、記録ヘッドに対する密閉度の高いキャッピング状態に長期間放置した場合には、キャップ内のインクが記録ヘッド側に逆流して、インクの混色などの不具合が発生するおそれがある。そのため、キャップ内に溜まったインクを吸引排出するための空吸引動作が実施されている。
【０００８】
【特許文献１】特開２００２−３３１６７３号公報
【特許文献２】特開平０４−３５５１５３号公報
【発明の開示】
【発明が解決しようとする課題】
【０００９】
インクジェット記録装置による高画質、高速記録を実現するために、記録ヘッドの多ノズル化／小ノズル化を図った場合には、記録ヘッドのインク吐出口からの水分蒸発の影響がさらに大きくなる。
【００１０】
しかしながら、前述したように、キャップ底面に曲げて大気連通路を這わせる構成、金属性パイプを設ける構成、およびキャップ内に多孔質体を設ける構成は、いずれもインクジェット記録装置の製造コストの増加を招くことになる。
【００１１】
また、記録ヘッドの小ノズル化が進めば進むほど、インク吐出口からの水分蒸発の影響は大きくなることから、予備吐出や吸引回復動作等の記録ヘッドのクリーニング制御を実施する頻度が高くなる。このように記録ヘッドのクリーニング制御の実施頻度が高くなると、その分、実際の記録に使用されるインクに対して、インク吐出の安定化のために使用されるインクの割合が高くなる。その結果、ランニングコストの増加を招いてしまう。さらに、このようなインク吐出の安定化のために排出された廃インクを保持しなければならないため、その廃インクを保持するための吸収体が必要となり、廃インクの増加に伴って吸収体の体積の増加を招くことになる。この結果、記録装置のサイズが大きくなってしまう。
【００１２】
また、負圧発生ポンプを持たない低価格のインクジェット記録装置においては、キャップ内のインクを外部に排出することができないため、キャップをキャッピング状態のまま長期間放置した場合には、インクの混色が生じるおそれがある。
【００１３】
本発明の目的は、小ノズル化された記録ヘッドを用いる場合にも記録装置のランニングコストの増加を招くことなく、記録ヘッドのインクの吐出状態を効率よく安定化させて、高品位な画像を記録することができるインクジェット記録装置を提供することにある。
【００１４】
本発明の他の目的は、記録装置の大型化およびコストアップを招くことなく、記録ヘッドのインクの吐出状態を安定化させて、高品位な画像を記録することができるインクジェット記録装置を提供することにある。
【課題を解決するための手段】
【００１５】
本発明のインクジェット記録装置は、吐出口からインクを吐出可能な記録ヘッドを用いて画像を記録し、前記吐出口からインク中の水分の蒸発を抑制するために、前記記録ヘッドをキャッピング可能なキャップを備えるインクジェット記録装置において、前記キャップは、内部のインクを外部に排出するための開口部と、前記開口部の開閉が可能であり、かつ前記キャップ内にインクを保持させるように前記開口部を密閉可能な開閉機構と、を備えることを特徴とする。
【発明の効果】
【００１６】
本発明によれば、記録ヘッドをキャッピング可能なキャップに、その内部のインクを外部に排出するための開口部を備え、その開口部は、キャップ内にインクを保持させるように密閉可能とした。これにより、インクを溜めたままのキャップを記録ヘッドにキャッピングして、記録ヘッドの吐出口を保湿することができる。したがって、小ノズル化された記録ヘッドを用いる場合にも、インクの使用量を抑えつつインクの吐出状態を効率よく安定化させることができ、この結果、ランニングコストを抑えた上、高品位な画像を記録することができる。
【００１７】
また、キャップ内のインクを自重によって排出させる位置に、開口部を形成することにより、キャップ内のインクを排出するためのポンプなどを備える必要がなくなる。この結果、記録装置の大型化およびコストアップを招くことなく、記録ヘッドのインクの吐出状態を安定化させて、高品位な画像を記録することができる。
【発明を実施するための最良の形態】
【００１８】
以下、本発明の実施形態を図面に基づいて説明する。  
（インクジェット記録装置の構成例）
図１２および図１３は、本発明を適用可能なインクジェット記録装置の構成例を説明するための図である。
【００１９】
図１２は、本発明を適用可能なインクジェット記録装置の概略構成を説明するための斜視図である。本例のインクジェット記録装置５０はシリアルスキャン方式の記録装置であり、ガイド軸５１，５２によって、キャリッジ５３が矢印Ｘの主走査方向に移動自在にガイドされている。キャリッジ５３は、キャリッジモータおよびその駆動力を伝達するベルト等の駆動力伝達機構により、主走査方向に往復動される。キャリッジ５３には、不図示の記録ヘッドと、その記録ヘッドにインクを供給するインクタンク５４が搭載される。記録ヘッドとインクタンク５４は、インクジェットカートリッジを構成するものであってもよい。被記録媒体としての用紙Ｐは、装置の前端部に設けられた挿入口５５から挿入された後、その搬送方向が反転されてから、送りローラ５６によって矢印Ｙの副走査方向に搬送される。その副走査方向Ｘは、主走査方向と交差（本例では直交）する方向である。
【００２０】
記録ヘッドは、ノズルを構成する吐出口からインクを吐出可能なインクジェット記録ヘッドであり、インクの吐出エネルギー発生手段として、電気熱変換体（ヒータ）やピエゾ素子などを用いることができる。電気熱変換体を用いた場合には、その電気熱変換体の発熱によってインクを発泡させ、その発泡エネルギーを利用して吐出口からインクを吐出させることができる。
【００２１】
記録装置５０は、記録ヘッドを主走査方向に移動させつつ、プラテン５７上の用紙Ｐのプリント領域に向かってインクを吐出させる記録動作と、その記録幅に対応する距離だけ用紙Ｐを副走査方向に搬送する搬送動作と、を繰り返す。これによって、用紙Ｐ上に順次画像を記録する。
【００２２】
キャリッジ５３の移動領域における図１２中の左端には、キャリッジ５３に搭載された記録ヘッドの吐出口の形成面と対向する回復系ユニット（回復処理手段）５８が設けられている。回復系ユニット５８には、後述するように記録ヘッドの吐出口のキャッピングが可能なキャップなどが備えられている。キャップ内に向かって、吐出口から画像の寄与しないインクを吐出（予備吐出）させることによって、記録ヘッドの良好なインク吐出状態を維持することができる。
【００２３】
図１３は、図１２の記録装置５０の制御系の概略ブロック構成図である。図１３において、ＣＰＵ１００は、本記録装置の動作の制御処理やデータ処理等を実行する。ＲＯＭ１０１は、それらの処理手順等のプログラムが格納され、またＲＡＭ１０２は、それらの処理を実行するためのワークエリアなどとして用いられる。記録ヘッドにおけるインクの吐出エネルギー発生手段として電気熱変換体が用いられている場合、その記録ヘッドからのインクの吐出は、ヘッドドライバ１０Ａを介してＣＰＵ１００により制御される。すなわちＣＰＵ１００は、ホスト装置２００から入力した画像データに基づいて、電気熱変換体の駆動データ（画像データ）および駆動制御信号（ヒートパルス信号）をヘッドドライバ１０Ａに供給する。ＣＰＵ１００は、キャリッジ５３を主走査方向に駆動するためのキャリッジモータ１０３をモータドライバ１０３Ａを介して制御し、また用紙Ｐを副走査方向に搬送するためのＰ．Ｆモータ１０４をモータドライバ１０４Ａを介して制御する。また、ＣＰＵ１００は、後述する図７のような保湿制御を実行する。
【００２４】
（比較例）
図１から図５は、本発明の比較例として、負圧発生ポンプを備えた回復系ユニット５８の説明図である。
【００２５】
インクジェット記録装置の回復系ユニット５８におけるキャップには、ユーザーが記録装置を使用しない期間中において、記録ヘッドのノズルからのインク中の水分の蒸発を抑制するために、高い密閉度が要求される。
【００２６】
図１は、負圧発生ポンプ１３を備えたキャップ１１の模式図である。キャップ１１であり、高い密閉度を必要とするため、ブチル系のゴム材質が使用されることが多い。また、キャップ１１の底面にはインクを排出するための穴１１Ａが形成されており、本例の場合、その穴１１Ａの内径は１．０ｍｍ、その長さは、キャップ１１の底部の厚みと等しい４．０ｍｍである。この穴１１Ａにチューブ１２が連結されている。負圧発生ポンプ１３は、キャップ１１が記録ヘッド１０における吐出口の形成面に接してキャッピング状態となったときに、発生させた負圧をチューブ１２を介してキャップ１１内に作用させる。このようなキャップ１１の密閉度に関しては、キャップ１１の材質が大きく寄与し、また、キャップ１１の底部に形成された穴１１Ａの内径と長さ、チューブ１２の材質（ガス透過性）、およびチューブ１２の内径、肉厚、長さも影響する。
【００２７】
図２は、インクの吐出量が５ｐｌ、２ｐｌ、１ｐｌの記録ヘッド１０と、図１のキャップ１１と、を組合せて、キャップ１１の機能を調べた。すなわち、それぞれの記録ヘッド１０とキャップ１１とを当接させたまま、温度が３０℃、湿度が１５％の条件下にて３ヶ月間放置し、その後、それぞれの記録ヘッド１０のノズルを形成する吐出口から、２０００発のインク滴を吐出する予備吐出を行った。そして、その予備吐出後に、それぞれの記録ヘッド１０からのインクの吐出状態を調べた。いずれの記録ヘッド１０においても、インクの吐出量に問題はなく、インクの不吐出や吐出方向のよれなどの発生もなかった。図２中の○は、インクの不吐出や吐出方向のよれなどの発生もなかったことを意味する。したがって、図１のような構成のキャップ１１は、いずれの記録ヘッドとの組合せにおいても、吐出口からのインク中の水分の蒸発を抑制する効果が充分であり、密閉度の高いキャップである。
【００２８】
また、上述の３種類の記録ヘッド１０をキャップしない状態のまま、温度が３０℃、湿度が１５％の環境下にて５分〜１２０分間放置し、その後、それぞれの記録ヘッドの吐出口から、５００発のインク滴を吐出する予備吐出を行った。そして、その予備吐出の後に、それぞれの記録ヘッド１０からのインクの吐出状態を調べた。その結果を図３に示す。
【００２９】
図３において、○はインクの吐出状態が安定したことを意味し、△はインクの吐出方向によれが生じたことを意味し、×はインクを吐出しない不吐出の状態に至ったことを意味する。インクの吐出量が５ｐｌの記録ヘッド１０は、１２０分間の放置後に５００発のインク滴を吐出する予備吐出を行うことによって、インクの吐出状態は安定した。しかし、インクの吐出量が１ｐｌの記録ヘッド１０は、放置時間が５分までは、５００発の予備吐出によってインクの吐出状態は安定した。しかし、放置時間が１０分のときにはインクの吐出方向によれが生じ、放置時間が３０分以上のときには、大半のノズルがインクを吐出しない不吐出の状態に至ってしまった。また、インクの吐出量が２ｐｌの記録ヘッド１０は、放置時間が１２０分未満のときにはインクの吐出状態は安定したものの、放置時間が１２０分以上のときにはインクの吐出方向によれが生じた。このようなインクの不吐出や吐出方向のよれは、記録ヘッドの吐出口からインク中の水分が蒸発して、吐出口近傍のインクの粘度が上昇したり、インク中の色材が固着したために生じる。
【００３０】
このような実験結果から、図１のキャップ１１によって記録ヘッド１０の吐出口を覆っているときには密閉度は充分であることが分かった。また、記録ヘッド１０の吐出口をキャップ１１が覆っていない場合には、吐出口からのインク中の水分の蒸発によって、インクの吐出量が小さい記録ヘッド１０ほど大きな影響を受けて、インクの安定した吐出ができなくなることが分かった。
【００３１】
インクジェット記録装置において、このような現象は記録動作中には起こらない。しかし、ユーザーがインクタンクの交換や記録ヘッドの着脱を行なうときなどには、記録ヘッドからインクを吐出させず、かつキャッピングも行わない状況に陥る可能性があるため、このような現象が生じるおそれがある。
【００３２】
図４は、図３の試験において用いたインク吐出量１ｐｌの記録ヘッド１０、つまり吐出口からインク中の水分の蒸発によってインクの不吐出や吐出方向のよれが発生した記録ヘッドに対して、次のような試験を行なった結果を示す。すなわち、インク吐出量１ｐｌの記録ヘッド１０に対して、図３の試験後に、内部にインクを溜めた状態のキャップ１１によって吐出口を覆うためのキャッピング（キャップ閉動作）を行った。そして、そのキャッピング状態を異なる時間（０分、１分、１０分）維持した後に、インクの吐出状態を再度調べた。図４中の○、△、および×は、図３と同様の内容を意味する。
【００３３】
キャッピング状態の時間（キャップ閉時間）が０分に比べて、キャップ閉時間が１分ある場合は、インクの吐出状態が良好となった。すなわち、キャップ閉時間が１分ある場合には、放置時間が３０分でも正常にインクを吐出し、放置時間が６０分でもノズルの数本にインクの吐出方向のよれが検出されただけであった。キャップ閉時間が１０分の場合には、放置時間が６０分であっても正常なインク吐出を行い、放置時間が１２０分でもノズルの数本のインクの吐出方向のよれが検出されただけであった。
【００３４】
試験対象のインク吐出量１ｐｌの記録ヘッド１０は、先の図３の試験によって、吐出口からのインク中の水分の蒸発によって、吐出口近傍においてインクの粘度の上昇やインク中の色材の固着が生じて、インクの安定した吐出が行えなくなった。その後の図４の試験においては、上述したように、密閉度の高いキャップ１１内に予備吐出を行って、そのキャップ１１内の湿度を上昇させてから、そのキャップ１１によって一定時間だけキャップ閉動作をさせた。この結果、インク中の水分の蒸発によりノズル近傍において増粘または半固着したインクに対して、保湿効果が発揮されて、インクの粘度の低下や固着したインクの再溶解が促進されることが分かった。
【００３５】
このように、図３を用いて説明したような記録ヘッド、つまりキャップをしないまま短時間放置されたためにインクの増粘や固着が生じた記録ヘッドに対しては、図４を用いて説明したように、密閉度の高いキャップ内にインクを溜めて保湿することが有効である。
【００３６】
（本発明の特徴的な構成）
本発明は、負圧を発生させるポンプを装備していない低価格のインクジェット記録装置に対して適用可能である。つまり、後述するように密閉度が可変のキャップを備え、キャップの密閉度が高い状態において、記録ヘッドからのインク中の水分の蒸発を抑制し、またキャップ内に予備吐出を行なって記録ヘッドの保湿制御を行う。さらに、キャップの密閉度の低い状態において、キャップからインクを排出することを可能にする。
【００３７】
図５および図６は、図１２および図１３のようなインクジェット記録装置の回復系ユニット５８に備わるキャップ６０の構成例を説明するための図である。図５は、密閉度が可変のキャップ６０が密閉度の高い状態にあるときの平面および断面を示し、図６は、そのキャップ６０の密閉度が低い状態にあるときの断面を示す。
【００３８】
キャップ６０の主体を構成するゴム部材６１は、平面四角形のすり鉢状に形成されている。すなわちゴム部材６１には、記録ヘッドにおける吐出口の形成面に密着可能な平面四角形の枠状部６１Ａと、その枠状部６１Ａの４辺から斜め下方に延在する４つの傾斜面部６１Ｂ−１，６１Ｂ−２，６１Ｂ−３，６１Ｂ−４と、が形成されている。さらに、４つの傾斜面部６１Ｂ−１から６１Ｂ−４が合流する底部には、キャップ６０内のインクを排出するための開口部として、内径２．５ｍｍの円形の穴６１Ｃが形成されている。キャップ６０の内側には、断面Ｔ字状のプラスチック部材６３が備えられている。プラスチック部材６３は、開口部としての穴６１Ｃを開閉するための開閉機構を構成する。すなわち、プラスチック部材６３には、弁体として機能する平面四角形の上側の板部６３Ａと、その板部６３Ａをキャップ６０の外部から操作可能な操作部材として機能する柱部６３Ｂと、が形成されている。板部６３Ａは、キャップ６０の内側における穴６１Ｃの周面に接離可能であり、かつキャップ６０内にインクを保持させるように穴６１Ｃを密閉可能である。板部６３Ａの上面における４辺部分の内、２辺の部分は、２つの傾斜面部６１Ｂ−３，６１Ｂ−４に設けられた片状の２つのゴム部材６２によって押え付けられている。柱部６３Ｂは、外径が２．０ｍｍの円柱状に形成されており、ゴム部材６１の穴６１Ａを貫通している。柱部６３Ｂと穴６１Ａとの間には、隙間が形成されている。
【００３９】
図５のように、プラスチック部材６３の板部６３Ａがキャップ６０内の下方に位置しているときには、ゴム部材６２によって板部６３Ａが下方に押え付けられて、板部６３Ａの下面側の周縁部分が４つの傾斜面部６１Ｂ−１から６１Ｂ−４の上面に密着している。これにより、穴６１Ｃを閉じて、キャップ６０の密閉度が高められる。
【００４０】
図６のように、プラスチック部材６３の柱状部６３Ｂの下端が廃インク用の吸収体６４によって押し付けられたときには、ゴム部材６２の抑え付け力に抗して、プラスチック部材６３がキャップ６０内において上方に移動する。このプラスチック部材６３の移動によって、その板部６３Ａの下面側の周縁部分が４つの傾斜面部６１Ｂ−１から６１Ｂ−４の上面から離れる。これにより、穴６１Ｃが開かれ、キャップ６０の内側と外側とが穴６１Ｃを通して連通し、キャップ６０の密閉度が低くなる。したがって、キャップ６０内に溜まったインクを穴６１Ｃから外側に排出することが可能になる。その排出された廃インクは、吸収体６４によって吸収されて保持される。
【００４１】
キャップ６０は、記録ヘッドとの相対移動によって、記録ヘッドに対してキャッピングおよびキャッピング解除される。キャップ６０と記録ヘッドとを相対移動させるための手段としては、キャリッジ５３の移動機構、および記録ヘッドに対してキャップ６０の上下動させる機構などを用いることができる。また、キャップ６０と吸収体６４との相対移動によって、穴６１Ｃが開閉される。キャップ６０と吸収体６４とを相対移動させるための手段としては、記録ヘッドに対してキャップ６０を上下動させる機構などを用いることができる。
【００４２】
図７は、このような保湿制御の一例を説明するためのフローチャートである。
【００４３】
ユーザーがインクタンク５４の交換や記録ヘッド１０の着脱を行なうときには、記録ヘッド１０からインクを吐出させずに、かつキャッピングも実施できないような状況に陥いる場合がある。このような場合には、この図７のフローチャートにしたがって、次のジョブの実施前に保湿制御を実施する。
【００４４】
まず、ステップＳ５１０から５１７は、後述するインク排出制御を含む保湿制御シーケンスである。ステップＳ５０１から５０９は、保湿制御が必要か否かを判断するための判断シーケンスであり、保湿制御が必要と判断された場合に保湿制御シーケンスへ移行し、それ以外の場合には通常のシーケンスへ移行する。
【００４５】
（判断シーケンス（ステップＳ５０１から５０９））
まず、ステップＳ５０１において、ユーザーによって記録装置の本体カバーが開けられた否かを判定し、それが開けられていなければ通常のシーケンスであると判断し、それが開いている場合にはステップＳ５０２へ移行する。その本体カバーは、インクタンク５４の交換や記録ヘッド１０の着脱を行なうときにユーザーによって開かれるものであり、その本体カバーの開閉はセンサーを用いて検出することができる。
【００４６】
ステップＳ５０２では、記録ヘッド１０へ通電するための電圧Ｖｈが印加状態にあるか否か、つまり電圧ＶｈがＯＮまたはＯＦＦのいずれであるかを検出する。電圧ＶｈがＯＮ状態であれば、通常のシーケンス中であると判断して、通常のシーケンスに移行する。電圧ＶｈがＯＦＦ状態であれば、本体カバーが開けられたまま、記録ヘッド１０がインクを吐出しない状態（非インク吐出状態）にあると判断して、ステップＳ５０３へ移行する。この非インク吐出状態においては、記録ヘッド１０がインクタンク５４の交換位置または記録ヘッド１０の交換位置にある状態、もしくは、記録ヘッド１０がユーザーによってキャリッジ５３から外された状態となる。
【００４７】
ステップＳ５０３では、記録ヘッドがインクを吐出しない時間（非インク吐出時間）を計測するためのタイマーＴを起動させて、カウントを開始させる。ステップＳ５０４では、電圧ＶｈがＯＮ状態に戻ったか否かを判定し、それがＯＮ状態に戻るまでステップＳ５０３を繰り返してタイマーＴのカウントを続ける。一方、電圧ＶｈがＯＮ状態に戻ったことを検出した場合には、タイマーＴのカウントを終了し、そのタイマーＴのカウント値（カウント時間）Ｔａを装置本体に備わるＥＥＰＲＯＭに格納する（ステップＳ５０６）。その後、ステップＳ５０７において次のジョブ命令を受信してから、ステップＳ５０８にてＥＥＰＲＯＭに格納されたカウント値Ｔａを参照し、そのカウント値Ｔａが所定時間以上（本例の場合は、５分以上）であるか否かを判定する（ステップＳ５０９）。カウント値Ｔａが５分未満のときには通常のシーケンスへ移行し、それが５分以上のときには、以降の保湿制御シーケンス（ステップＳ５０１から５０９）へ移行する。
【００４８】
（保湿制御シーケンス（ステップＳ５１０から５１７））
まず、ステップＳ５１０において、キャリッジ５３をキャップ６０の上方位置に移動させ、その後、キャップ６０内にインクを溜めるために、キャップ６０を図５のような密閉度の高い状態とする（ステップＳ５１１）。次のステップＳ５１２では、記録ヘッド１０の予備吐出を行って、キャップ６０内にインクを溜める。その予備吐出においては、記録ヘッド１０からキャップ６０内に、例えば５ｐｌのインク滴を所定発数吐出する。次のステップＳ５１３では、カウント値Ｔａと保湿制御時間とを関連付けた図８のテーブルを参照して、カウント値Ｔａに対応する保湿制御時間を決定する。
【００４９】
次のステップＳ５１４では、記録ヘッド１０に対してキャップ６０を密着させて、ステップＳ５１３にて決定した保湿制御時間だけ保湿制御を実施する。つまり、インクが溜まったキャップ６０を記録ヘッド１０に密着させることにより、その保湿制御時間だけ記録ヘッド１０の吐出口を保湿する。その後、ステップＳ５１５において保湿制御を終了して、キャップ６０を記録ヘッド１０から解離させる。
【００５０】
次のステップＳ５１６では、記録ヘッド１０における吐出口のそれぞれから、所定発数ずつインクを予備吐出して、それぞれの吐出口からのインクの吐出状態を安定させる。次のステップＳ５１７では、キャップ６０内に溜まったインクを外部に排出（インク排出制御）させる。その際には、図６のように、吸収体６４によってプラスチック部材６３を押し上げることにより、キャップ６０を密閉度の低い状態とする。これにより、キャップ６０内に溜まったインクを穴６１Ａから排出して、吸収体６４に吸収保持さすることができる。これにより、保湿制御およびインク排出制御を終了する。
【００５１】
このように、キャップ内に予備吐出を行なってから、記録ヘッドを保湿することによって、インクの吐出性能を維持することができる。特に、吐出インクの小ドロップ化に対応した記録ヘッドを用いる記録装置において、ユーザーがインクタンクを交換したり記録ヘッドの着脱を行なうときに、記録ヘッドがインクを吐出せず、かつキャッピングも実施されない状況となった場合に有効となる。つまり、このような状況となった後に、上述した保湿制御を行なうことによって、記録ヘッドのインクの吐出性能を維持することができる。また、記録ヘッドの吐出口からインク吸引排出させるインク吸引動作が必要ないため、画像の記録に寄与しないインクの消費を抑えることができ、また廃インクを吸収するための吸収体の体積も小さく抑えることができる。
【００５２】
仮に、本例のキャップ６０に代えて、図１のような負圧発生ポンプ１３を備えたキャップ１１を用いた場合、ステップＳ５１７のインク排出制御においては、負圧発生ポンプ１３を動作させることによってキャップ１１内のインクを外部に排出することができる。しかしながら、低価格のインクジェット記録装置では、前述したような密閉度の高いキャップ１１は装備されてはいるものの、負圧を発生させるためのポンプ１３を装備していないことが多い。ポンプ１３を備えない記録装置は、キャップ１１内に予備吐出を行って記録ヘッドの保湿制御を実施することは可能であるものの、その後にキャップ１１内のインクを排出することできない。そのため、記録ヘッドをキャッピング状態のまま長期間の放置した場合に、インクの混色が生じるおそれがある。
【００５３】
次に、本例のキャップ６０の密閉度を図５のように高くした場合の性能と、その密閉度を図６のように低くした場合の性能と、を検証するために行なった試験について説明する。
【００５４】
（密閉度を高くしたときの性能の検証試験）
本例のキャップ６０と、図１のようにチューブ１２を介して負圧発生ポンプ１３が接続されたキャップ１１と、を用意した。そして、それらのキャップ１１，６０内に、一定量の水分を含ませた多孔質体を入れ、それらのキャップ１１，６０上面に蓋をして、温度が６０℃、湿度が１５％の条件下において放置した。水分を含んだ多孔質体の初期重量と、キャップ１１，６０の放置後の多孔質体の重量と、の差を測定して、放置時間に対する水分蒸発率の変化を調べた。
【００５５】
図９のグラフは、その試験の結果を示したものである。図９の横軸は放置時間であり、その縦軸は、水分を含んだ多孔質体のキャップ放置前における初期重量と、その多孔質体のキャップ放置後の重量と、の差から求めた水分蒸発率である。図９のグラフにおいて、◆を実線でつないだ曲線Ｌ１は、図１のキャップ１１における水分蒸発率の曲線である。また、○を点線でつないだ曲線Ｌ２は、図５のように密閉度が高いときにおける本例のキャップ６０の水分蒸発率の曲線であり、△を点線でつないだ曲線Ｌ３は、図６のように密閉度が低いときにおける本例のキャップ６０の水分蒸発率の曲線である。曲線Ｌ３では、約５０時間でキャップ内の水分蒸発率がほぼ１００％に達する。他の２つの曲線Ｌ１，Ｌ２では、約１８０時間後でも水分蒸発率が約６０％となり、キャップ内に水分が保持された。
【００５６】
この結果から、放置時間に対する水分蒸発率に関しては、図５のように密閉度が高いときにおける本例のキャップ６０と、図１のキャップ１１と、は、ほぼ等しいことが分かった。また、それらのキャップは、いずれも図６のように密閉度が低いときにおける本例のキャップ６０に比べて密閉度が高いことが分かった。
【００５７】
また、インクの吐出量が５ｐｌ、２ｐｌ、および１ｐｌの記録ヘッドのそれぞれに対して、図５のように密閉度が高いときにおける本例のキャップ６０をキャッピングしたまま、温度が３０℃、湿度が１５％の条件下において３ヶ月間放置した。そして、それぞれの記録ヘッドから２０００発のインク滴を吐出する予備吐出を行った後に、インクの吐出状態を調べた。その結果は、図１のキャップ１１と同じであった。
【００５８】
また、図３を用いて説明した実験と同様に、記録ヘッドをキャップしない状態のまま、温度が３０℃、湿度が１５％の環境下において５分〜１２０分間放置した。その後、図５のように密閉度が高いときにおける本例のキャップ６０にインクを溜め、そのキャップ６０をキャッピングすることによって記録ヘッドを保湿した。その保湿を０分、１分、１０分維持した後に、記録ヘッドのインクの吐出状態を再度調べた。その結果、図４と同等の保湿性能が確認できた。
【００５９】
これらの試験結果から、図５のように密閉度が高いときにおける本例のキャップ６０には、図１のキャップ１１と同等の高い密閉度があり、その内部に予備吐出を行ってインクを溜めることによって、前述した保湿制御の実施が可能であることが分かった。
【００６０】
（密閉度を低くしたときの性能の検証試験）
図６のように密閉度が低いときにおける本例のキャップ６０から、その内部に溜まったインクを排出するときの排出性能を確認するために、次のような試験を行なった。
【００６１】
まず、図５のように密閉度が高いときにおける本例のキャップ６０内に、異なる粘度２．０ｃｐ、４．０ｃｐ、および６．０ｃｐのインクを一定量溜めた。その後、図６のようにキャップ６０の密閉度を低くして、インク排出動作を行った。そして、インク排出動作前にキャップ６０内に溜めた初期のインク重量と、インク排出動作後に残ったインク重量と、の差を測定した。その測定結果を図１０のグラフに示す。
【００６２】
図１０の横軸はインク粘度であり、その縦軸は、キャップ６０内に溜めた初期のインク重量に対する、インク排出動作によって排出したインク量の比率（以下、「インク排出率」という）である。インク排出率が高いほど、キャップのインク排出性能は良い。図１０中の◆は、図１のキャップ１１内にインクを溜めた後に、空吸引動作によってキャップ１１内のインクを排出した場合のインク排出率である。空吸引動作は、キャップ１１を記録ヘッド１０から離したまま、負圧発生ポンプ１３によってキャップ１１内のインクを吸引排出させるための動作である。図１０中の△は、図５のように密閉度が高いときにおける本例のキャップ６０内にインクを溜めた後に、図６のようにキャップ６０の密閉度を低くして、インク排出動作を行った場合のインク排出率である。いずれの場合においても、インク粘度が２．０〜６．０ｃｐの間は、インク排出率が約９５％と高いことが分かった。
【００６３】
また、図１のキャップ１１内にインクを溜めてから、空吸引動作によってインクを排出した後のキャップ１１を用意した。また、図５のように密閉度が高いときにおける本例のキャップ６０内にインクを溜めた後に、図６のようにキャップ６０の密閉度を低くして、インク排出動作を行ってから、再び、図５のように密閉度を高くしたキャップ６０を用意した。そして、温度が４０℃の高温環境下において、これらのキャップ１１および６０によって記録ヘッドを３ヶ月の間覆い、その後、記録ヘッドにおけるインクの混色の発生の有無を確認した。その結果、図１１のように、どちらのキャップ１１および６０を用いた場合にも混色は発生しなかった。
【００６４】
これらの試験結果から、図６のようにキャップ６０の密閉度を低くしたときの本例のキャップ６０には、図１のキャップ１１内のインクを排出させるための空吸引動作を行なった場合と同等のインク排出性能があることが分かった。
【００６５】
したがって、本例のキャップ６０を用いることにより、前述した図７における保湿制御シーケンスと、その後のキャップ内のインク排出制御（ステップＳ５１７）と、を確実に実施することができる。また、本例のキャップ６０を用いた場合には、図１のような負圧発生ポンプ１３を備えたキャップ１１を用いる場合に比して、負圧発生ポンプ１３の動作源であるモーターやチューブ１２等を必要としないため、製造コストを格段に下げることができる。
【００６６】
（他の実施形態）
キャップ６０を構成する部材６１、６２、および６３の材質は、上述した実施形態のみに特定されず任意であり、記録ヘッドに密着するキャップとしての機能、および開口部としての穴６１Ｃを開閉してキャップの密閉度を変化させる機能が発揮できればよい。要は、キャップに、内部のインクを外部に排出するための開口部と、その開口部の開閉が可能な開閉機構を備えて、さらに、その開閉機構によってキャップ内にインクを保持させるように開口部を密閉することができる構成であればよい。その開口部は、開閉機構によって開かれたときに、キャップ内のインクを自重によって排出させる位置に形成することが望ましい。本発明は、上述した実施形態のようなシリアルスキャン方式のインクジェット記録装置のみに特定されず、種々の方式のインクジェット記録装置に対して適用することができる。例えば、いわゆるフルラインタイプのインクジェット記録装置、つまり被記録媒体上の記録領域の幅方向の全域に渡って延在する長尺のインクジェット記録ヘッドを用いるインクジェット記録装置に対しても適用することができる。
【図面の簡単な説明】
【００６７】
【図１】本発明の比較例としてのキャップの構成の説明図である。
【図２】記録ヘッドに対する図１のキャップの密閉度に関する試験結果の説明図である。
【図３】図２の試験に用いた記録ヘッドの非キャッピング時におけるインク吐出状態の変化の確認結果の説明図である。
【図４】図１のキャップを用いて、図３の試験後の記録ヘッドを保湿させる試験結果の説明図である。
【図５】本発明の実施形態におけるキャップの密閉度を高めた状態の平面および断面を示す図である。
【図６】図５のキャップの密閉度を低くした状態の断面図である。
【図７】図５のキャップを用いて記録ヘッドのインク吐出状態を安定化させるための制御を説明するためのフローチャートである。
【図８】図７の制御において用いられるテーブルの説明図である。
【図９】図５のように密閉度を高めたときのキャップの性能の検証結果の説明図である。
【図１０】図６のように密閉度を低くしたときのキャップの性能の検証結果の説明図である。
【図１１】インク排出後に、図５のように密閉度を高めたときのキャップの性能の検証結果の説明図である。
【図１２】本発明を適用可能な記録装置の概略斜視図である。
【図１３】図１２の記録装置の制御系のブロック構成図である。
【符号の説明】
【００６８】
１０    記録ヘッド
６０    キャップ
６１    ゴム部材
６１Ｃ    穴（開口部）
６２    ゴム部材
６３    プラスチック部材
６３Ａ    板部（弁体）
６３Ｂ    柱部（操作部材）
【図１】
2008149616.tif 000003
【図２】
2008149616.tif 000004
【図３】
2008149616.tif 000005
【図４】
2008149616.tif 000006
【図５】
2008149616.tif 000007
【図６】
2008149616.tif 000008
【図７】
2008149616.tif 000009
【図８】
2008149616.tif 000010
【図９】
2008149616.tif 000011
【図１０】
2008149616.tif 000012
【図１１】
2008149616.tif 000013
【図１２】
2008149616.tif 000014
【図１３】
2008149616.tif 000015